(57)【要約】【課題】長さを容易に調整することができ、原動機の駆動軸と回転機械の回転軸とを連結した状態で、取り付け作業および取り外し作業を容易に行うことができ、さらには、脚部材や専用の制作機器を不要とすることができるカップリングガードを提供する。【解決手段】カップリングガード１は、回転機械に取り付け可能なカバー１１と、カバー１１に取り付けられた第１のガード１２と、第１のガード１２に取り付けられた第２のガード１４とを備える。カバー１１は、回転軸が貫通可能な貫通穴１８を有し、かつ多角形状を有する端板部１９と、端板部１９から第１のガード１２に向かって延びる複数の側板部２０とを備える。複数の側板部２０は互いに離間しており、第１のガード１２は側板部２０に固定された第１の多角柱部３０を備える。第２のガード１４は第１の多角柱部３０の一部が挿入された第２の多角柱部３６を備える。【選択図】図４
2018013229.tif 000002
【特許請求の範囲】
【請求項１】
原動機の駆動軸と回転機械の回転軸とを連結するカップリングを覆うためのカップリングガードであって、
前記回転機械に取り付け可能なカバーと、
前記カバーに取り付けられた第１のガードと、
前記第１のガードに取り付けられた第２のガードとを備え、
前記カバーは、
前記回転軸が貫通可能な貫通穴を有し、かつ多角形状を有する端板部と、
前記端板部から前記第１のガードに向かって延びる複数の側板部とを備え、
前記複数の側板部は互いに離間しており、
前記第１のガードは前記側板部に固定された第１の多角柱部を備え、
前記第２のガードは前記第１の多角柱部の一部が挿入された第２の多角柱部を備えていることを特徴とするカップリングガード。
【請求項２】
前記側板部と前記第１の多角柱部とは締結具によって締結されており、
前記第１の多角柱部には、前記締結具が挿入される楕円穴が形成されており、
前記楕円穴は前記側板部の長手方向に延びる楕円形状を有することを特徴とする請求項１に記載のカップリングガード。
【請求項３】
前記第１のガードは前記第１の多角柱部から外側に突出した第１のフランジ部を備えており、
前記第２のガードは前記第２の多角柱部から外側に突出した第２のフランジ部を備えており、
前記第１のフランジ部および前記第２のフランジ部のうちのいずれか一方には長穴が形成されており、
前記第１のフランジ部および前記第２のフランジ部のうちの他方には、前記長穴に接続された挿入穴が形成されていることを特徴とする請求項１または２に記載のカップリングガード。
【請求項４】
前記カバーは複数の屈曲部を有する１枚の板から構成されていることを特徴とする請求項１乃至３のいずれか一項に記載のカップリングガード。
【請求項５】
前記第１のガードおよび前記第２のガードは、それぞれ、複数の屈曲部を有する１枚の板から構成されていることを特徴とする請求項１乃至４のいずれか一項に記載のカップリングガード。
【請求項６】
前記第１のガードを構成する前記１枚の板は、前記第２のガードを構成する前記１枚の板と同じ形状を有することを特徴とする請求項５に記載のカップリングガード。
【請求項７】
前記第１のガードおよび前記第２のガードは、それぞれ、複数の屈曲部を有する少なくとも２枚の板から構成されていることを特徴とする請求項１乃至４のいずれか一項に記載のカップリングガード。
【請求項８】
前記第１のガードを構成する前記少なくとも２枚の板は、前記第２のガードを構成する前記少なくとも２枚の板と同じ形状を有することを特徴とする請求項７に記載のカップリングガード。
【請求項９】
前記端板部には、前記カバーを前記回転機械に取り付けるための複数の締結穴が形成されていることを特徴とする請求項１乃至８のいずれか一項に記載のカップリングガード。
【請求項１０】
前記カバーは、前記回転機械から張り出すように、前記回転機械に取り付け可能であることを特徴とする請求項１乃至９のいずれか一項に記載のカップリングガード。
【請求項１１】
互いに隣接する前記複数の側板部によって、前記カバーの頂部が複数形成されており、
前記第１の多角柱部によって、前記第１のガードの頂部が複数形成されており、
前記第２の多角柱部によって、前記第２のガードの頂部が複数形成されており、
前記カバーの頂部の少なくとも１つ、前記第１のガードの頂部の少なくとも１つ、および前記第２のガードの頂部の少なくとも１つは、前記カバー、前記第１のガード、および前記第２のガードを通る中心軸線上に位置していることを特徴とする請求項１乃至１０のいずれか一項に記載のカップリングガード。
【請求項１２】
駆動軸を有する原動機と、
回転軸を有する回転機械と、
請求項１乃至１１のいずれか一項に記載のカップリングガードとを備えていることを特徴とする機械装置。
【請求項１３】
前記カップリングガードは、前記回転機械から張り出すように、前記回転機械に保持されていることを特徴とする請求項１２に記載の機械装置。
【発明の詳細な説明】
【技術分野】
【０００１】
本発明は、ポンプなどの回転機械の回転軸を、モータなどの原動機の駆動軸と連結するためのカップリングを覆うカップリングガードおよび該カップリングガードを備えた機械装置に関する。
【背景技術】
【０００２】
回転機械の回転軸を、カップリング（軸継手）を介して原動機の駆動軸に連結して、駆動軸を回転させることにより、回転軸を回転させる機械装置が知られている。このような機械装置は、例えば、ポンプ装置である。ポンプ装置は、原動機であるモータと回転機械であるポンプとを有し、モータの駆動軸は、ポンプの回転軸にカップリングを介して連結される。ポンプ装置では、モータの駆動軸のトルクがカップリングを介してポンプの回転軸に伝達され、これにより、回転軸に固定された羽根車が回転される。
【０００３】
高速回転するカップリング、ポンプの回転軸の露出部分、およびモータの駆動軸の露出部分に人間が接触しないように、通常、カップリングを覆うカップリングガードが設けられる。
【先行技術文献】
【特許文献】
【０００４】
【特許文献１】特開２０１４−１７３６８０号公報
【発明の概要】
【発明が解決しようとする課題】
【０００５】
カップリングガードをポンプ装置に取り付ける場合、ポンプとモータとの間の距離に応じて、カップリングガードの長さを調整することがある。しかしながら、カップリングガードが多数の部品から構成されると、特に、カップリングガードが脚部材を備えていると、カップリングガードの構造が複雑になり、結果として、カップリングガードの長さを調整することは困難である。さらに、カップリングガードが多数の部品から構成されると、コストがかかってしまう。
【０００６】
また、金型や大型の製作機械や専用治具などの製作機器を用いてカップリングガードを製作すると、カップリングガードの製作コストが増大してしまう。
【０００７】
ポンプ装置へのカップリングガードの取り付けは、ポンプ装置の運転を停止し、モータの駆動軸とポンプの回転軸とを連結した状態で行われる。また、カップリングガードの取り外しも、モータの駆動軸とポンプの回転軸とを連結した状態で行われる。しかしながら、カップリングガードが多数の部品から構成されると、モータの駆動軸とポンプの回転軸とを連結した状態で、カップリングガードを取り付ける作業、および取り外す作業には多くの時間がかかる。
【０００８】
上述した問題は、ポンプ装置だけでなく、回転機械の回転軸をカップリングを介して原動機の駆動軸に連結させる全ての機械装置で発生し得る。
【０００９】
本発明は、上述の事情に鑑みてなされたもので、長さを容易に調整することができ、原動機の駆動軸と回転機械の回転軸とを連結した状態で、取り付け作業および取り外し作業を容易に行うことができ、さらには、脚部材や専用の制作機器を不要とすることができるカップリングガードを提供することを目的とする。
さらに、本発明は、このようなカップリングガードを備えた機械装置を提供することを目的とする。
【課題を解決するための手段】
【００１０】
上述した目的を達成するために、本発明の一態様は、原動機の駆動軸と回転機械の回転軸とを連結するカップリングを覆うためのカップリングガードであって、前記回転機械に取り付け可能なカバーと、前記カバーに取り付けられた第１のガードと、前記第１のガードに取り付けられた第２のガードとを備え、前記カバーは、前記回転軸が貫通可能な貫通穴を有し、かつ多角形状を有する端板部と、前記端板部から前記第１のガードに向かって延びる複数の側板部とを備え、前記複数の側板部は互いに離間しており、前記第１のガードは前記側板部に固定された第１の多角柱部を備え、前記第２のガードは前記第１の多角柱部の一部が挿入された第２の多角柱部を備えていることを特徴とする。
【００１１】
本発明の好ましい態様は、前記側板部と前記第１の多角柱部とは締結具によって締結されており、前記第１の多角柱部には、前記締結具が挿入される楕円穴が形成されており、前記楕円穴は前記側板部の長手方向に延びる楕円形状を有することを特徴とする。
本発明の好ましい態様は、前記第１のガードは前記第１の多角柱部から外側に突出した第１のフランジ部を備えており、前記第２のガードは前記第２の多角柱部から外側に突出した第２のフランジ部を備えており、前記第１のフランジ部および前記第２のフランジ部のうちのいずれか一方には長穴が形成されており、前記第１のフランジ部および前記第２のフランジ部のうちの他方には、前記長穴に接続された挿入穴が形成されていることを特徴とする。
【００１２】
本発明の好ましい態様は、前記カバーは複数の屈曲部を有する１枚の板から構成されていることを特徴とする。
本発明の好ましい態様は、前記第１のガードおよび前記第２のガードは、それぞれ、複数の屈曲部を有する１枚の板から構成されていることを特徴とする。
本発明の好ましい態様は、前記第１のガードを構成する前記１枚の板は、前記第２のガードを構成する前記１枚の板と同じ形状を有することを特徴とする。
本発明の好ましい態様は、前記第１のガードおよび前記第２のガードは、それぞれ、複数の屈曲部を有する少なくとも２枚の板から構成されていることを特徴とする。
【００１３】
本発明の好ましい態様は、前記第１のガードを構成する前記少なくとも２枚の板は、前記第２のガードを構成する前記少なくとも２枚の板と同じ形状を有することを特徴とする。
本発明の好ましい態様は、前記端板部には、前記カバーを前記回転機械に取り付けるための複数の締結穴が形成されていることを特徴とする。
本発明の好ましい態様は、前記カバーは、前記回転機械から張り出すように、前記回転機械に取り付け可能であることを特徴とする。
【００１４】
本発明の好ましい態様は、互いに隣接する前記複数の側板部によって、前記カバーの頂部が複数形成されており、前記第１の多角柱部によって、前記第１のガードの頂部が複数形成されており、前記第２の多角柱部によって、前記第２のガードの頂部が複数形成されており、前記カバーの頂部の少なくとも１つ、前記第１のガードの頂部の少なくとも１つ、および前記第２のガードの頂部の少なくとも１つは、前記カバー、前記第１のガード、および前記第２のガードを通る中心軸線上に位置していることを特徴とする。
【００１５】
本発明の他の態様は、駆動軸を有する原動機と、回転軸を有する回転機械と、上記カップリングガードとを備えていることを特徴とする機械装置である。
本発明の好ましい態様は、前記カップリングガードは、前記回転機械から張り出すように、前記回転機械に保持されていることを特徴とする。
【発明の効果】
【００１６】
本発明によれば、カップリングガードはシンプルな構造を有しており、かつ少ない部品から構成される。したがって、原動機の駆動軸と回転機械の回転軸とを連結した状態で、カップリングガードの長さを容易に調整することができ、さらに、カップリングガードの取り付け作業および取り外し作業を容易に行うことができる。さらに、本発明によれば、コストを低減することができる。
【００１７】
さらに、本発明によれば、カップリングガードを支持する脚部材や専用の制作機器を不要とすることができる。
【図面の簡単な説明】
【００１８】
【図１】ポンプ装置を示す模式図である。
【図２】本発明の一実施形態に係るカップリングガードを備えたポンプ装置の模式図である。
【図３】図２に示すカップリングガードの拡大図である。
【図４】カップリングガードの斜視図である。
【図５】カバーの正面図である。
【図６】図５のＡ線方向から見た図である。
【図７】図３のＢ−Ｂ線断面図である。
【図８】第１のガードを示す全体図である。
【図９】図８のＣ線方向から見た図である。
【図１０】第１の多角柱部の一部を第２の多角柱部に挿入したときの第１のガードおよび第２のガードを示す図である。
【図１１】第１のガードの他の実施形態を示す図である。
【図１２】図１１のＤ線方向から見た図である。
【発明を実施するための形態】
【００１９】
以下、本発明の実施形態について図面を参照して説明する。図１乃至図１２において、同一または相当する構成要素には、同一の符号を付して重複した説明を省略する。
【００２０】
図１はポンプ装置１００を示す模式図であり、図２は本発明の一実施形態に係るカップリングガード１を備えたポンプ装置１００の模式図である。ポンプ装置１００は、原動機であるモータ２と、回転機械であるポンプ３とを備えた機械装置である。モータ２およびポンプ３は、ベース８上に固定されている。モータ２の駆動軸５は、モータ２のモータケーシング２ａからポンプ３に向かって延びており、ポンプ３の回転軸７は、ポンプ３のポンプケーシング３ａからモータ２に向かって延びている。ポンプケーシング３ａはケーシング脚部９に支持されており、ケーシング脚部９はベース８上に固定されている。モータ２の駆動軸５は、カップリング（軸継手）１０を介してポンプ３の回転軸７に連結される。モータ２の駆動軸５のトルクがカップリング１０を介してポンプ３の回転軸７に伝達され、結果として、回転軸７に固定された羽根車４は回転する。
【００２１】
本実施形態では、ポンプ３の回転軸７の中心軸線は、モータ２の駆動軸５の中心軸線と一直線に並んでいる。ポンプ３の回転軸７と、モータ２の駆動軸５の共通の中心軸線は、符号ＣＬが付された二点鎖線で描かれている。
【００２２】
カップリング１０、モータ２の駆動軸５の露出部分、およびポンプ３の回転軸７の露出部分は、カップリングガード１によって覆われる。以下、カップリングガード１について説明する。図３は図２に示すカップリングガード１の拡大図である。図４はカップリングガード１の斜視図である。カップリングガード１は、回転機械の一例であるポンプ３に取り付け可能なカバー１１と、カバー１１に取り付けられた第１のガード１２と、第１のガード１２に取り付けられた第２のガード１４とを備えている。
【００２３】
図５はカバー１１の正面図であり、図６は図５のＡ線方向から見た図である。カバー１１は、ポンプ３の回転軸７が貫通可能な貫通穴１８を有し、かつ多角形状を有する端板部１９と、端板部１９から第１のガード１２（および第２のガード１４）に向かって延びる複数の側板部２０とを備えている。
【００２４】
カバー１１は複数の屈曲部を有する１枚の板から構成されている。より具体的には、端板部１９および複数の側板部２０は、１枚の板を折り曲げることによって形成される。１枚の板を折り曲げる手段としては、折り曲げ機（ベンダー）を使用する手段が挙げられる。端板部１９および複数の側板部２０によって多角形の箱形構造を有するカバー１１が構成される。複数の屈曲部は端板部１９と複数の側板部２０との間に延びている。側板部２０は中心軸線ＣＬと平行であり、端板部１９は中心軸線ＣＬに対して垂直である。側板部２０は中心軸線ＣＬに対して傾斜してもよい。
【００２５】
本実施形態では、端板部１９は四角形状を有しているが、三角形状を有してもよく、または五角以上の多角形状を有してもよい。端板部１９の隅には複数の（本実施形態では４つの）切り欠き２１が形成されている。複数の側板部２０は互いに離間しており、切り欠き２１は互いに隣接する側板部２０の間に位置している。
【００２６】
図５に示すように、端板部１９には、カバー１１をポンプ３のポンプケーシング３ａに取り付けるための複数の締結穴２５が形成されている。これら複数の締結穴２５は貫通穴１８の周方向に沿って等間隔に形成されている。本実施形態では、３つの締結穴２５が形成されているが、締結穴２５の数はこの実施形態に限定されない。図示しないが、締結穴２５を形成する代わりに貫通穴１８から外側に向かって（すなわち、端板部１９と側板部２０との間の屈曲部に向かって）延びる切り欠きを形成してもよい。
【００２７】
図７は図３のＢ−Ｂ線断面図である。図７では、ポンプケーシング３ａに取り付けられたカバー１１が示されている。カバー１１は回転軸７（および駆動軸５）と同心状に配置されており、中心軸線ＣＬはカバー１１の中心を通っている。ポンプケーシング３ａには、複数の締結穴２５に対応する複数のケーシング穴（図示しない）が形成されており、締結穴２５とケーシング穴とが接続された状態で、ねじ２３を締結穴２５およびケーシング穴に挿入する。このようにして、カバー１１は、ポンプケーシング３ａから張り出すように、ポンプケーシング３ａ（すなわち、ポンプ３）に取り付けられ、結果として、カップリングガード１は、ポンプケーシング３ａから張り出すように、ポンプケーシング３ａに保持される。このように、カップリングガード１はポンプケーシング３ａに保持されているため、カップリングガード１を支持する脚部材は不要となる。ねじ２３の代わりにボルトとナットとの組み合わせでもよい。なお、様々な大きさを有するポンプケーシングにカバー１１を取り付けるために、端板部１９には締結穴２５とは別の複数の穴が形成されてもよい。
【００２８】
図１、図２、および図７に示すように、ケーシング脚部９はねじ２４によってポンプケーシング３ａに取り付けられている。端板部１９には、ケーシング脚部９のポンプケーシング３ａへの取り付けを容易にするためのカット部２６が形成されている。カット部２６は、ケーシング脚部９とポンプケーシング３ａとの接続部分が露出するように、貫通穴１８の最下部からベース８に向かって延びている。カット部２６および貫通穴１８は互いに接続されている。このように、カット部２６を形成することにより、作業者は、ケーシング脚部９とポンプケーシング３ａとの接続部分をモータ２側から目視することができる。したがって、作業者は、ケーシング脚部９のポンプケーシング３ａへの取り付けをモータ２側から容易に行うことができる。図示しないが、カット部２６を形成する代わりに貫通穴１８の下方に貫通穴１８とは独立した穴を形成してもよい。
【００２９】
第１のガード１２および第２のガード１４について説明する。図３および図４に示すように、第１のガード１２は、カバー１１の複数の側板部２０に固定された第１の多角柱部３０と、第１の多角柱部３０から外側に突出した第１のフランジ部３３とを備えている。第２のガード１４は、第１の多角柱部３０の一部が挿入された第２の多角柱部３６と、第２の多角柱部３６から外側に突出した第２のフランジ部３９とを備えている。
【００３０】
ガード１２，１４は回転軸７（および駆動軸５）と同心状に配置されており、中心軸線ＣＬはガード１２，１４の中心を通っている。つまり、カバー１１、第１のガード１２、および第２のガード１４は同心状に配置されており、これらカバー１１、第１のガード１２、および第２のガード１４は中心軸線ＣＬと平行に延びている。第１のガード１２および第２のガード１４は同様の構成を有しているため、以下、第１のガード１２について図面を参照しつつ説明する。
【００３１】
図８は第１のガード１２を示す全体図である。図８に示すように、本実施形態では、第１の多角柱部３０は四角形状を有しているが、三角形状を有してもよく、または五角以上の多角形状を有してもよい。第１の多角柱部３０の形状はカバー１１（より具体的には、端板部１９）の形状に対応している。例えば、第１の多角柱部３０が四角形状を有していれば、カバー１１も四角形状を有しており、第１の多角柱部３０が五角形状を有していれば、カバー１１も五角形状を有している。
【００３２】
第１の多角柱部３０は、上側構成部材３０ａと、上側構成部材３０ａと着脱可能な下側構成部材３０ｂとを備えている。上側構成部材３０ａは、その中央において屈曲部を有しており、この屈曲部は上側構成部材３０ａをその中央において折り曲げることによって形成される。この屈曲部を形成することにより、上側構成部材３０ａは上側に屈曲する形状を有する。本実施形態では、屈曲部の角度は９０度である。
【００３３】
上側構成部材３０ａの両側には、その両側から外側に突出した２つの上側フランジ部３３ａ，３３ａが形成されている。上側構成部材３０ａおよび上側フランジ部３３ａ，３３ａは一体的に形成されている。つまり、上側構成部材３０ａおよび上側フランジ部３３ａ，３３ａは１枚の板を折り曲げることによって形成される。
【００３４】
下側構成部材３０ｂも、その中央において屈曲部を有しており、この屈曲部は下側構成部材３０ｂをその中央において折り曲げることによって形成される。この屈曲部を形成することにより、下側構成部材３０ｂは下側に屈曲する形状を有する。本実施形態では、屈曲部の角度は９０度である。
【００３５】
下側構成部材３０ｂの両側には、その両側から外側に突出した２つの下側フランジ部３３ｂ，３３ｂが形成されている。下側構成部材３０ｂおよび下側フランジ部３３ｂ，３３ｂは一体的に形成されている。つまり、下側構成部材３０ｂおよび下側フランジ部３３ｂ，３３ｂは１枚の板を折り曲げることによって形成される。本実施形態では、第１のフランジ部３３は上側フランジ部３３ａおよび下側フランジ部３３ｂから構成されている。
【００３６】
図８に示すように、第１のガード１２は、複数の屈曲部を有する２枚の板（すなわち、上側構成部材３０ａおよび下側構成部材３０ｂ）から構成されている。本実施形態では、第１のガード１２は２枚の板から構成されているが、板の枚数はこの実施形態に限定されず、第１のガード１２は３枚以上の板から構成されてもよい。
【００３７】
第２のガード１４も同様に、複数の屈曲部を有する少なくとも２枚の板から構成されている。第１のガード１２を構成する少なくとも２枚の板は、第２のガード１４を構成する少なくとも２枚の板と同じ形状を有している。
【００３８】
第１のガード１２には、ガード壁６５が設けられている。このガード壁６５は、第１の多角柱部３０のモータ側開口端に配置されている。ガード壁６５は、上側構成部材３０ａから第１のガード１２の中心（すなわち、駆動軸５および回転軸７）に向かって延びる上側壁部材６５ａ，６５ａと、下側構成部材３０ｂから第１のガード１２の中心（すなわち、駆動軸５および回転軸７）に向かって延びる下側壁部材６５ｂ，６５ｂとから構成されている。ガード壁６５は中心軸線ＣＬに対して垂直である。
【００３９】
ガード壁６５は、駆動軸５、カップリング１０、および回転軸７が貫通可能な穴６８を有している。ガード壁６５を設けることにより、第１のガード１２の剛性を高めることができる。ガード壁６５は、第２のガード１４にも設けられている。より具体的には、ガード壁６５は第２の多角柱部３６のモータ側開口端に配置されている。このように、ガード壁６５を第２のガード１４に設けることにより、第２のガード１４の剛性を高めることができ、かつカップリングガード１内に位置する駆動軸５およびカップリング１０に人間の指が接触することを確実に防止することができる。
【００４０】
図３に示すように、カバー１１の側板部２０と第１の多角柱部３０とは締結具によって締結されており、第１の多角柱部３０には、締結具が挿入される楕円穴５３が形成されている。楕円穴５３は側板部２０の長手方向に延びる楕円形状を有している。側板部２０には、楕円穴５３に接続される連結穴５６（図４および図６参照）が形成されている。楕円穴５３および連結穴５６を接続した状態で、ボルト５２を楕円穴５３および連結穴５６に挿入し、ナット（図示しない）によって固定することにより、カバー１１と第１のガード１２は連結される。本実施形態では、カバー１１と第１のガード１２とを締結する締結具は、ボルト５２およびナットから構成される。
【００４１】
第１の多角柱部３０には楕円穴５３が形成されているため、第１のガード１２は、カバー１１と連結された状態で、側板部２０の長手方向に移動可能である。楕円穴５３を形成することにより、側板部２０が中心軸線ＣＬに対して傾斜していても、問題なく第１のガード１２をカバー１１に連結することができる。
【００４２】
図９は図８のＣ線方向から見た図である。図９に示すように、第１のフランジ部３３は中心軸線ＣＬと平行に延びおり、第１のフランジ部３３（すなわち、上側フランジ部３３ａおよび下側フランジ部３３ｂ）には、中心軸線ＣＬと平行に延びる長穴４４と、長穴４４に隣接する挿入穴４５が形成されている。本実施形態では、挿入穴４５はポンプ３側に配置されており、長穴４４はモータ２側に配置されている。挿入穴４５は、長穴４４から離間しており、長穴４４とは独立した穴である。
【００４３】
上側フランジ部３３ａ，３３ａと下側フランジ部３３ｂ，３３ｂとを接触させ、ボルト５０（図３参照）を挿入穴４５に挿入する。その後、ボルト５０を、ボルト５０に係合するナット５１（図３参照）によって固定することにより、上側構成部材３０ａおよび下側構成部材３０ｂは互いに締結される。上側構成部材３０ａおよび下側構成部材３０ｂを締結する締結具は、ボルト５０およびナット５１から構成されている。
【００４４】
上述したように、第２のガード１４は第１のガード１２と同様の構成を有している。図３に示すように、第２の多角柱部３６は、上側構成部材３６ａと、上側構成部材３６ａと着脱可能な下側構成部材３６ｂとを備えている。第２のフランジ部３９は、上側フランジ部３９ａおよび下側フランジ部３９ｂから構成されている。
【００４５】
図４に示すように、第２のフランジ部３９には、中心軸線ＣＬと平行に延びる長穴５４と、長穴５４に隣接する挿入穴５５とが形成されている。挿入穴５５はポンプ３側に配置されており、長穴５４はモータ２側に配置されている。挿入穴５５は、長穴５４から離間しており、長穴５４とは独立した穴である。
【００４６】
図１０は第１の多角柱部３０の一部を第２の多角柱部３６に挿入したときの第１のガード１２および第２のガード１４を示す図である。第１の多角柱部３０の一部を第２の多角柱部３６に挿入したとき、第１のフランジ部３３は上側フランジ部３９ａと下側フランジ部３９ｂとの間に挟まれる。つまり、上側フランジ部３９ａは上側フランジ部３３ａの上方に位置し、下側フランジ部３９ｂは下側フランジ部３３ｂの下方に位置する。
【００４７】
第１の多角柱部３０の一部を第２の多角柱部３６に挿入すると、第２のフランジ部３９の挿入穴５５は第１のフランジ部３３の長穴４４に接続され、この状態でボルト６０を挿入穴５５および長穴４４に挿入する。ボルト６０をナット６１（図３参照）によって固定することにより、第２のガード１４は第１のガード１２に取り付けられる。第２のガード１４を第１のガード１２に取り付ける締結具は、ボルト６０およびナット６１から構成されている。ボルト６０は長穴４４に挿入されるため、第２のガード１４は、長穴４４が延びる方向と平行に、すなわち、中心軸線ＣＬと平行に移動可能である（図１０の矢印参照）。
【００４８】
このように、第２のガード１４は第１のガード１２に対して相対的に移動可能であるため、モータ２とポンプ３との間の距離に応じて、カップリングガード１の長さを調整することができる。第２のガード１４は、モータ２のモータケーシング２ａと対向している。第２の多角柱部３６のモータ側開口端とモータ２のモータケーシング２ａとの間の距離は、人間の指の通過を防止する程度の距離である。したがって、人間の指がモータ２の駆動軸５およびカップリング１０に接触することを防止することができる。
【００４９】
第１のフランジ部３３に挿入穴４５および長穴４４を形成することにより、第１のフランジ部３３の剛性を高めつつ、上側構成部材３０ａと下側構成部材３０ｂとを確実に締結することができる。すなわち、仮に、第１のフランジ部３３の全体に亘って延びる１つの長穴を形成すると、第１のフランジ部３３に生じる応力集中が大きくなり、結果として、第１のフランジ部３３の剛性は低下してしまう。さらに、上側構成部材３０ａと下側構成部材３０ｂとを長穴を通じて締結すると、ボルト５０が移動してしまい、上側構成部材３０ａと下側構成部材３０ｂとを確実に締結することができない。本実施形態によれば、挿入穴４５を設けることにより、第１のフランジ部３３の全体に亘って長穴を形成する必要はないため、第１のフランジ部３３の剛性を高めることができる。さらに、ボルト５０を挿入穴４５に挿入することにより、ボルト５０の移動を防止することができるため、上側構成部３０ａと下側構成部材３０ｂとを確実に締結することができる。
【００５０】
さらに、本実施形態によれば、挿入穴５５が形成された第２のフランジ部３９の部位によって長穴４４が形成された第１のフランジ部３３の部位を補強することができる。つまり、長穴４４が形成された第１のフランジ部３３の部位は、挿入穴５５が形成されたフランジ部３９ａ，３９ｂの部位の間に挟まれる。したがって、長穴４４が形成された第１のフランジ部３３の部位の剛性を高めることができる。言い換えれば、第２のフランジ部３９は第１のフランジ部３３を補強するリブとして機能する。
【００５１】
第２のフランジ部３９の長穴５４には、ボルト７０（図３参照）が挿入されており、ボルト７０はナット７１（図３参照）によって固定されている。ボルト７０およびナット７１によって締結具が構成されている。ボルト７０およびナット７１によって上側構成部材３６ａと下側構成部材３６ｂとを締結することにより、上側構成部材３６ａおよび下側構成部材３６ｂが水平方向にずれることを防止することができる。
【００５２】
本実施形態では、第１のフランジ部３３に形成された長穴４４および第２のフランジ部３９に形成された挿入穴５５にボルト６０を挿入することによって、第２のガード１４は第１のガード１２に取り付けられている。しかしながら、第１のフランジ部３３に形成された穴４４，４５の位置および第２のフランジ部３９に形成された穴５４，５５の位置を変更することにより、第１のフランジ部３３に形成された挿入穴４５および第２のフランジ部３９に形成された長穴５４にボルト６０を挿入して、第２のガード１４を第１のガード１２に取り付けてもよい。つまり、第１のフランジ部３３および第２のフランジ部３９のうちのいずれか一方に長穴が形成されており、他方に長穴に接続された挿入穴が形成されていれば、第２のガード１４を第１のガード１２に移動可能に取り付けることができる。
【００５３】
図４に示すように、互いに隣接する側板部２０によってカバー１１の頂部が複数形成されており、構成部材３０ａ，３０ｂの屈曲部によって第１のガード１２の頂部が複数形成されており、構成部材３６ａ，３６ｂの屈曲部によって第２のガード１４の頂部が複数形成されている。第１のガード１２の頂部は上側構成部材３０ａと下側構成部材３０ｂとの接続部分にも形成されており、第２のガード１４の頂部は上側構成部材３６ａと下側構成部材３６ｂとの接続部分にも形成されている。
【００５４】
本実施形態では、カバー１１の頂部の少なくとも１つ、第１のガード１２の頂部の少なくとも１つ、および第２のガード１４の頂部の少なくとも１つは、これらカバー１１、ガード１２，１４を通る中心軸線ＣＬ上に位置している。この理由は次の通りである。ポンプ装置１００は、屋外に設置される場合がある。カップリングガード１をこのように配置することにより、カップリングガード１に接触する雨などの水を速やかにカップリングガード１から流下させることができる。さらに、このような配置により、カップリングガード１内に浸入した水を一箇所に集めることができ、結果として、水を速やかに外部に排出することができる。
【００５５】
本実施形態によれば、カップリングガード１を製作するときに金型や大型の製作機械や専用治具などの製作機器は不要であるため、カップリングガード１の製作コストを減らすことができる。さらに、本実施形態によれば、カップリングガード１は比較的少ない部品数（すなわち、カバー１１、第１のガード１２、および第２のガード１４）から構成されており、その構造はシンプルである。したがって、モータ２の駆動軸５とポンプ３の回転軸７とを連結した状態で、カップリングガード１の組み立てや分解を容易に行うことができる。さらに、カップリングガード１を少ない部品点数から構成することにより、イニシャルコストを低減することができる。
【００５６】
さらに、本実施形態によれば、カップリングガード１を支持する脚部材は不要であり、カップリングガード１の構造をシンプルにすることができるため、モータ２の駆動軸５とポンプ３の回転軸７とを連結した状態で、カップリングガード１の長さを容易に調整することができる。
【００５７】
図１１は第１のガード１２（および第２のガード１４）の他の実施形態を示す図であり、図１２は図１１のＤ線方向から見た図である。上述した実施形態では、第１のガード１２および第２のガード１４は、それぞれ、複数の屈曲部を有する２枚の板から構成されている。しかしながら、本実施形態では、図１１および図１２に示すように、第１のガード１２（および第２のガード１４）は、それぞれ複数の屈曲部を有する１枚の板から構成されている。さらに、第１のガード１２を構成する１枚の板は、第２のガード１４を構成する１枚の板と同じ形状を有している。本実施形態によれば、部材の点数をさらに減らすことができる。
【００５８】
上述した実施形態では、第１の多角柱部３０の一部が第２の多角柱部３６に挿入される構成について説明したが、第２の多角柱部３６の一部を第１の多角柱部３０に挿入してもよい。このような構成によっても、上述した実施形態における効果と同様の効果を奏することができる。
【００５９】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００６０】
１      カップリングガード
２      モータ（原動機）
２ａ      モータケーシング
３      ポンプ（回転機械）
３ａ      ポンプケーシング
４      羽根車
５      駆動軸
７      回転軸
８      ベース
９      ケーシング脚部
１０      カップリング
１１      カバー
１２      第１のガード
１４      第２のガード
１８      貫通穴
１９      端板部
２０      側板部
２１      切り欠き
２５      締結穴
２６      カット部
３０      第１の多角柱部
３０ａ    上側構成部材
３０ｂ    下側構成部材
３３      第１のフランジ部
３３ａ    上側フランジ部
３３ｂ    下側フランジ部
３６      第２の多角柱部
３６ａ    上側構成部材
３６ｂ    下側構成部材
３９      第２のフランジ部
３９ａ    上側構成部材
３９ｂ    下側構成部材
４４，５４      長穴
４５，５５      挿入穴
５３      楕円穴
５６      連結穴
６５      ガード壁
１００    ポンプ装置（機械装置）
【図１】
2018013229.tif 000003
【図２】
2018013229.tif 000004
【図３】
2018013229.tif 000005
【図４】
2018013229.tif 000006
【図５】
2018013229.tif 000007
【図６】
2018013229.tif 000008
【図７】
2018013229.tif 000009
【図８】
2018013229.tif 000010
【図９】
2018013229.tif 000011
【図１０】
2018013229.tif 000012
【図１１】
2018013229.tif 000013
【図１２】
2018013229.tif 000014